(57)【要約】【課題】ノーマルモードインピーダンスを高め、一つの部品でノーマルモードノイズにも対応することができるコモンモードチョークコイルを提供する。【解決手段】本発明のコモンモードチョークコイル１０は、巻芯部１１とその両端に形成された一対の鍔部１２Ａ、１２Ｂを有するフェライトコア１３と、巻芯部１１に巻回された第１、第２の巻線１４Ａ、１４Ｂと、一対の鍔部１２Ａ、１２Ｂに両端が接合されたフェライト板１５と、を備え、第１、第２の巻線１４Ａ、１４Ｂは、一部分が逆向きに巻回されている第１の巻線１４Ａを含んでいる。【選択図】図１
2009182055.tif 000002
【特許請求の範囲】
【請求項１】
巻芯部とその両端に形成された一対の鍔部を有するコアと、上記巻芯部に巻回された２本の巻線と、上記一対の鍔部に両端が接合された天板と、を備えたコモンモードチョークコイルにおいて、上記２本の巻線における一方の巻線は、上記巻芯部に巻回されているうちの一部分が他方の巻線と逆向きに巻回されている巻線を含むことを特徴とするコモンモードチョークコイル。
【請求項２】
上記巻芯部の表面に上記一方の巻線の巻回方向を変えるための突起が設けられていることを特徴とする請求項１に記載のコモンモードチョークコイル。
【請求項３】
上記２本の巻線がツイストペア線を構成することを特徴とする請求項１に記載のコモンモードチョークコイル。
【発明の詳細な説明】
【技術分野】
【０００１】
本発明は、コモンモードチョークコイルに関し、更に詳しくは、コモンモードフィルタとノーマルモードフィルタの両機能を具備するコモンモードチョークコイルに関するものである。
【背景技術】
【０００２】
従来のこの種のコモンモードチョークコイルとしては、例えば特許文献１に記載の高周波用コモンモードチョークコイルや特許文献２に記載された表面実装自己誘導型インダクタンス部品がある。
【０００３】
特許文献１に記載の高周波用コモンモードチョークコイルは、例えば図３に示すように、巻芯部１Ａ及び鍔部１Ｂを有するコア１と、コア１の巻芯部１Ａにバイファイラ巻きされた巻線２と、コア１の鍔部１Ｂの下面に設けられた電極３と、巻芯部１Ａを跨いで両端の鍔部１Ｂの上面に接着剤４によって接着されたフェライト板５と、を備え、巻線２の両端部が電極３に電気的に接続されている。鍔部１Ｂの下部の中央部には凹部が形成され、この凹部の両側に脚部が形成されている。これらの脚部の下面に電極３がそれぞれ設けられている。これらの電極３に２本の巻線２の端部がそれぞれ接続されている。
【０００４】
また、特許文献２に記載の表面実装自己誘導型インダクタンス部品は、巻芯に対向する２つの鍔部を有したドラム型コアを有し、巻線により回路形成した表面実装自己誘導型インダクタンス部品であって、上記対向する鍔部それぞれの周側面に所定の電極を有し、上記巻線端末の接続が上記対向する鍔部の周側面の電極で行われている。この表面実装自己誘導型インダクタンス部品もコモンモードフィルタとして用いられる。
【０００５】
【特許文献１】特開２００３−１６８６１１
【特許文献２】特開２０００−１３３５２２
【発明の開示】
【発明が解決しようとする課題】
【０００６】
しかしながら、特許文献１、２に記載のコモンモードチョークコイルは、いずれも複数の巻線が同一方向に巻回されているため、ノーマルモードインピーダンスが低く、リンギング対策等のためにノーマルモードインピーダンスが必要な場合には、これらのコモンモードチョークコイルとは別にリンギング対策用としてノーマルモードフィルタを実装しなくてはならない。
【０００７】
本発明は、上記課題を解決するためになされたもので、ノーマルモードインピーダンスを高め、一つの部品でリンギング等のノーマルモードノイズにも対応することができるコモンモードチョークコイルを提供することを目的としている。
【課題を解決するための手段】
【０００８】
本発明の請求項１に記載のコモンモードチョークコイルは、巻芯部とその両端に形成された一対の鍔部を有するコアと、上記巻芯部に巻回された２本の巻線と、上記一対の鍔部に両端が接合された天板と、を備えたコモンモードチョークコイルにおいて、上記２本の巻線における一方の巻線は、上記巻芯部に巻回されているうちの一部分が他方の巻線と逆向きに巻回されている巻線を含むことを特徴とするものである。
【０００９】
また、本発明の請求項２に記載のコモンモードチョークコイルは、請求項１に記載の発明において、上記巻芯部の表面に上記一方の巻線の巻回方向を変えるための突起が設けられていることを特徴とするものである。
【００１０】
また、本発明の請求項３に記載のコモンモードチョークコイルは、請求項１に記載の発明において、上記２本の巻線がツイストペア線を構成することを特徴とするものである。
【発明の効果】
【００１１】
本発明によれば、ノーマルモードインピーダンスを高め、一つの部品でリンギング等のノーマルモードノイズにも対応することができるコモンモードチョークコイルを提供することができる。
【発明を実施するための最良の形態】
【００１２】
以下、図１、図２に示す実施形態に基づいて本発明について説明する。尚、各図中、図１の（ａ）〜（ｄ）はそれぞれ本発明のコモンモードチョークコイルの第１の実施形態の要部を分解して示す模式図、図２の（ａ）〜（ｄ）はそれぞれ本発明のコモンモードチョークコイルの第２の実施形態の要部を分解して示す模式図である。
【００１３】
第１の実施形態
本実施形態のコモンモードチョークコイル１０は、例えば図１の（ａ）〜（ｄ）に示すように、巻芯部１１とその左右両端に形成された鍔部１２Ａ、１２Ｂを有するフェライトコア１３と、フェライトコア１３の巻芯部１１に上下二層に巻回された２本の絶縁皮膜付きの巻線１４と、一対の鍔部１２Ａ、１２Ｂの上端面に両端部が接合されたフェライト板１５と、を備えている。
【００１４】
而して、図１の（ａ）に示すようにフェライトコア１３の巻芯部１１の表面には突起１１Ａが形成されている。この突起１１Ａは、同図の（ｂ）に示すように一層目の巻線１４Ａの巻回方向をそれまでとは逆向きに変えるために設けられている。一層目の巻線１４Ａの上に二層目の巻線１４Ｂが同図の（ｃ）に示すように巻回されている。そこで、下層の巻線１４を第１の巻線１４Ａと定義し、上層の巻線１４を第２の巻線１４Ｂと定義する。第１、第２の巻線１４Ａ、１４Ｂは、従来と同様に、それぞれの一端部が左側の鍔部１２Ａの下端に形成された一対の電極（図示せず）に電気的に接続され、それぞれの他端部が右側の鍔部１２Ｂの下端に形成された一対の電極（図示せず）に電気的に接続されている。
【００１５】
第１の巻線１４Ａは、図１の（ｂ）に矢印で示すように左側の鍔部１２Ａの電極を始端として巻芯部１１の突起１１Ａまで巻芯部１１に対して反時計方向に所定のターン数だけ巻回されている。この巻線１４Ａは、同図に示すように突起１１Ａに引っ掛け、同図に矢印で示すように突起１１Ａ以降ではそれまでとは逆向きの時計方向に所定のターン数だけ巻回され、右側の鍔部１２Ｂの電極に電気的に接続されて終端している。第２の巻線１４Ｂは、図１の（ｃ）に示すように左側の鍔部１２Ａの電極を始端とし、右側の鍔部１２Ｂの電極を終端として第１の巻線１４Ａの上に全長に亘って反時計方向に第１の巻線１４Ａの全ターン数と同一ターン数だけ巻回されている。
【００１６】
従って、第１、第２の巻線１４Ａ、１４Ｂは、それぞれの始端部から巻芯部１１の突起１１Ａまでは同一方向（反時計方向）に巻回され、それぞれの突起１１Ａから終端までは互いに逆向きに巻回されている。このように第１の巻線１４Ａの一部を他の部分とは逆向きに巻回することにより、コモンモードチョークコイル１０のノーマルモードインピーダンスが増加し、一つの部品でコモンモードノイズとノーマルモードノイズ（例えば、信号のリンギング等）のノイズ対策を対応することができる。
【００１７】
本実施形態のコモンモードチョークコイル１０は、例えば図１の（ａ）〜（ｄ）の手順で製造することができる。まず、図１の（ａ）に示すように巻芯部１１に突起１１Ａが形成されたフェライトコア１３を準備する。このフェライトコア１３の巻芯部１１に第１の巻線１４Ａを、例えば同図の（ｂ）に示すように左側の鍔部１２Ａから巻芯部１１の突起１１Ａまで反時計方向に所定のターン数だけ巻回する。第１の巻線１４Ａを巻芯部１１の突起１１Ａまで巻回した後、突起１１Ａで第１の巻線１４Ａの巻回方向を逆向きに変え、第１の巻線１４Ａを時計方向に突起１１Ａから所定のターン数だけ巻芯部１１に巻回する。
【００１８】
然る後、図１の（ｃ）に示すように第２の巻線１４Ｂを第１の巻線１４Ａの表面に重ねて巻回する。この際、第２の巻線１４Ｂの巻回方向は、第１の巻線１４Ａの左側の鍔部１２Ａから突起１１Ａまでの巻回方向と同一の反時計方向にする。第２の巻線１４Ｂを左側の鍔部１２Ａから右側の鍔部１２Ｂに向けて第１の巻線１４Ａと同一のターン数だけ時計方向に巻回して二層構造にする。引き続き、同図の（ｄ）に示すように鍔部１２の上端面にフェライト板１５を接着剤により接合することにより、コモンモードチョークコイル１０を得ることができる。
【００１９】
以上説明したように本実施形態によれば、第１の巻線１４Ａの右端部がその他の部分及び第２の巻線１４Ｂの巻回方向と逆向きになっているため、コモンモードチョークコイル１０のノーマルモードインピーダンスが増加し、コモンモードノイズのみならずノーマルモードノイズをも除去することができる。従来のコモンモードチョークコイルであれば、信号のリンギング対策等でノーマルモードノイズインピーダンスが必要なときには、リンギング対策専用のフィルタが必要であったが、本実施形態では一つのコモンモードチョークコイル１０でコモンモードノイズとノーマルモードノイズの双方を除去することができ、信号のリンギング等を抑制することができる。
【００２０】
第２の実施形態
本実施形態のコモンモードチョークコイル１０Ａは、図２の（ａ）〜（ｄ）に示すように第１、第２の巻線１４Ａ、１４Ｂからなる巻線１４に代えてツイストペア線１４が用いられている。以下、本実施形態では巻線１４をツイストペア線１４として説明する。その他、第1の実施形態と同一または相当部分には同一符号を付して本実施形態について説明する。
【００２１】
本実施形態のコモンモードチョークコイル１０Ａは、図２の（ａ）に示すフェライトコア１３の巻芯部１１にツイストペア線１４が、同図の（ｂ）に矢印で示すように左側の鍔部１２Ａから右側の鍔部１２Ｂに向けて反時計方向に巻回されている。同図の（ａ）からも明らかなように本実施形態で用いられるフェライトコア１３の巻芯部１１には第１の実施形態のように突起が形成されていない。
【００２２】
ツイストペア線１４の一端は２本の単線１４Ａ、１４Ｂに解きほぐされ、２本の単線１４Ａ、１４Ｂの端部が左側の鍔部１２Ａの下端面の電極１３に電気的に接続されている。巻芯部１１にはツイストペア線１４が、図２の（ｂ）に矢印で示すように左側の鍔部１２Ａから右側の鍔部１２Ｂに向けて反時計方向に所定のターン数だけ巻回されている。巻芯部１１の途中で同図の（ｃ）に示すようにツイストペア線１４が２本の単線１４Ａ、１４Ｂとして解きほぐされている。ここで便宜上、２本の単線１４Ａ、１４Ｂをそれぞれ第１の単線１４Ａ、第２の単線１４Ｂと定義する。
【００２３】
ツイストペア線１４が解きほぐされた位置以降で、図２の（ｃ）に示すように第１の単線１４がを第２の単線１４Ｂから折り返されて、同図に矢印で示すようにそれまでとは逆向き、即ち、時計方向に巻回されている。第２の単線１４Ｂはそのまま反時計方向に巻芯部１１に第１の単線１４Ａと同一ターン数だけ巻回されている。第１、第２の単線１４Ａ、１４Ｂが互いに逆向きに巻回されて一部分は、同図に示すように互いに交差している。
【００２４】
従って、ツイストペア線１４が巻芯部１１の途中まで反時計方向に巻回され、途中からツイストペア線１４が第１、第２の単線１４Ａ、１４Ｂに分けられて互いに逆向きに同一ターン数だけ巻回されている。このように第１の単線１４Ａの一部を他の部分及び第２の単線１４Ｂと逆向きに巻回することにより、第１の実施形態と同様の作用効果を得ることができる。また、本実施形態では第１の実施形態のようにフェライトコア１３の巻芯部１１に突起を設けなくても、第１の単線１４Ａの一部を他の部分とは逆向きに巻回することができる。
【実施例】
【００２５】
実施例１
本実施例では図１に示す要領でコモンモードチョークコイルを表１に示す条件で作製した。即ち、フェライトコアの巻芯部に第１の巻線（７０μｍ径）を反時計方向に１５ターン巻回した後、１ターンだけ逆向きにして時計方向に巻回し、合計で１６ターン巻回した。第１の巻線の上に第２の巻線を反時計方向に１６ターン巻回して、コモンモードチョークコイルを作製した。その後、このコモンモードチョークコイルのコモンモードインピーダンスＬｃ及びノーマルモードインピーダンスＬｎをそれぞれ測定し、その結果を表２に示した。
【００２６】
また、比較例として従来のように第１、第２の巻線を全て同一方向に１６ターンずつ巻回してコモンモードチョークコイルを作製し、このコモンモードチョークコイルのコモンモードインピーダンスＬｃ及びノーマルモードインピーダンスＬｎを測定し、その結果を表２に示した。
【００２７】
【表１】
2009182055.tif 000003
【００２８】
【表２】
2009182055.tif 000004
【００２９】
表２に示す結果によれば、従来のコモンモードチョークコイルの第１の巻線の一部を逆向きに巻回することで、コモンモードインピーダンスＬｃが従来のものと比較して数％低下するが、この低下によるノイズ抑制効果に対する影響は僅かである。これに対して、ノーマルモードインピーダンスＬｎが従来のものと比較して１０倍になっている。このことから、実施例１のコモンモードチョークコイルはノーマルモードのリンギング対策に大きな効果がある。
【００３０】
実施例２
本実施例ではツイストペア線を用いて図２に示す要領でコモンモードチョークコイルを表３に示す条件で作製し、このコモンモードチョークコイルのコモンモードインピーダンスＬｃ及びノーマルモードインピーダンスＬｎを測定した結果、実施例１と同様の効果が確認された。
【００３１】
【表３】
2009182055.tif 000005
【００３２】
尚、本発明は上記各実施形態に何等制限されるものではない。例えば、上記各実施形態では巻線１４あるいはツイストペア線１４の巻回部分の右端部で逆向きの巻回部分が形成されているが、巻回部分の如何なる部分で逆向きになっていても良い。
【産業上の利用可能性】
【００３３】
本発明は、電子機器や通信機器等に使用されるコモンモードチョークコイルに好適に利用することができる。
【図面の簡単な説明】
【００３４】
【図１】（ａ）〜（ｄ）はそれぞれ本発明のコモンモードチョークコイルの第１の実施形態の要部を分解して示す模式図である。
【図２】（ａ）〜（ｄ）はそれぞれ本発明のコモンモードチョークコイルの第２の実施形態の要部を分解して示す模式図である。
【図３】従来のコモンモードチョークコイルの一例を示す斜視図である。
【符号の説明】
【００３５】
１０    コモンモードチョークコイル
１１    巻芯部
１１Ａ  突起
１２    鍔部
１３    フェライトコア
１４    巻線、ツイストペア線
１４Ａ  第１の巻線、第１の単線（一部の巻線）
１４Ｂ  第２の巻線、第２の単線（他の巻線）
【図１】
2009182055.tif 000006
【図２】
2009182055.tif 000007
【図３】
2009182055.tif 000008